(57)【要約】【課題】  ソースが外部入力機器又はデジタル放送の場合であって、映像が表示されていないにも拘わらず同期信号がある場合でも、無信号判別を確実に行うことができるようにする。【解決手段】  同期検出回路２１により視聴するソースであるチューナー１１又は外部入力機器１２〜１４のいずれかの映像同期の有無を検出し、無音検出回路３１によりソースの入力音声の有無を検出し、図示しないバックライトを有するＬＣＤ６０によりソースの映像を表示し、スピーカ７０によりソースの音声を出力するとともに、同期検出回路２１及び無音検出回路３１による映像同期及び入力音声無しが所定期間継続したとき、マイコン５０によりバックライトを減灯（暗くする）及び／又は消灯するようにする。【選択図】  図１
2006140647.tif 000002
【特許請求の範囲】
【請求項１】
視聴するソースの映像同期の有無を検出する同期検出手段と、
前記ソースの入力音声の有無を検出する音声検出手段と、
前記ソースの映像を表示する光源を有する表示手段と、
前記ソースの音声を出力する音声出力手段と、
前記同期検出手段及び前記音声検出手段による前記映像同期及び入力音声無しが所定期間継続したとき、前記光源の光量を制御する制御手段とを備える
ことを特徴とする液晶表示装置。
【請求項２】
チューナー又は外部入力機器のいずれかの入力系統の中から視聴するソースを選択するソース選択手段と、
選択されたソースの映像同期の有無を検出する同期検出回路を内蔵し、前記選択されたソースの映像信号に対して、映像関連処理を行い、処理された映像信号を前記表示手段に表示させる映像処理手段と、
前記選択されたソースの入力音声の音声レベルの有無を検出する無音検出回路を内蔵し、前記入力音声に対して、音声関連処理を行い、処理した音声信号を前記音声出力手段から出力させる音声処理手段と、
前記映像同期及び入力音声無しの期間を計測して前記制御手段に計測結果を与える計測手段とを備える
ことを特徴とする請求項１に記載の液晶表示装置。
【請求項３】
前記制御手段は、前記映像同期及び入力音声が一定期間無い場合に、前記光源を段階的に減灯し、前記一定期間内又は前記減灯後に前記映像同期及び入力音声があると前記光源を元の明るさに戻すように制御することを特徴とする請求項１又は２に記載の液晶表示装置。
【請求項４】
前記制御手段は、前記映像同期及び入力音声が一定期間無い場合に、前記光源を消灯し、前記一定期間内又は前記消灯後に前記映像同期及び入力音声があると前記光源を元の明るさに戻すように制御することを特徴とする請求項１又は２に記載の液晶表示装置。
【請求項５】
前記制御手段は、前記映像同期及び入力音声が一定期間無い場合に、前記光源を段階的に減灯し、さらに前記光源が最も暗いレベルに到達したとき前記光源を消灯し、前記一定期間内又は前記消灯後に前記映像同期及び入力音声があると前記光源を元の明るさに戻すように制御することを特徴とする請求項１又は２に記載の液晶表示装置。
【請求項６】
視聴するソースの映像同期の有無を検出する工程と、
前記ソースの入力音声の有無を検出する工程と、
前記ソースの映像を光源からの光によって表示する工程と、
前記ソースの音声を出力する工程と、
前記映像同期及び入力音声無しが所定期間継続したとき、前記光源の光量を制御する工程とを有する
ことを特徴とする光源制御方法。
【請求項７】
チューナー又は外部入力機器のいずれかの入力系統の中から視聴するソースを選択する工程と、
選択されたソースの映像同期の有無を検出するとともに、前記選択されたソースの映像信号に対して、映像関連処理を行い、処理された映像信号を表示させる工程と、
前記選択されたソースの入力音声の音声レベルの有無を検出するとともに、前記入力音声に対して、音声関連処理を行い、処理した音声信号を出力させる工程と、
前記映像同期及び入力音声無しの期間を計測し、その計測結果を与える工程とを有する
ことを特徴とする請求項６に記載の光源制御方法。
【請求項８】
前記映像同期及び入力音声が一定期間無い場合に、前記光源を段階的に減灯し、前記一定期間内又は前記減灯後に前記映像同期及び入力音声があると前記光源を元の明るさに戻すように制御する工程を有することを特徴とする請求項６又は７に記載の光源制御方法。
【請求項９】
前記映像同期及び入力音声が一定期間無い場合に、前記光源を消灯し、前記一定期間内又は前記消灯後に前記映像同期及び入力音声があると前記光源を元の明るさに戻すように制御する工程を有することを特徴とする請求項６又は７に記載の光源制御方法。
【請求項１０】
前記映像同期及び入力音声が一定期間無い場合に、前記光源を段階的に減灯し、さらに前記光源が最も暗いレベルに到達したとき前記光源を消灯し、前記一定期間内又は前記消灯後に前記映像同期及び入力音声があると前記光源を元の明るさに戻すように制御する工程を有することを特徴とする請求項６又は７に記載の光源制御方法。
【発明の詳細な説明】
【技術分野】
【０００１】
本発明は、所定の条件で液晶テレビのバックライトの減灯（暗くする）及び／又は消灯を行う機能を有した液晶表示装置に関する。 
【背景技術】
【０００２】
近年、液晶テレビは、液晶パネルの画面の大型化や高精細度化等がますます進む傾向にある。また、今後のデジタル放送によるチャンネル数の増加、早朝／深夜番組の増加、さらにはブロードバンド通信の普及によるテレビ用途の広がり等でテレビ視聴時間の２４時間化も容易に予測されることから、液晶テレビのさらなる低消費電力、長寿命の重要性が高まっている。
【０００３】
このような低消費電力、長寿命を図るようにしたものとして、たとえば特許文献１では、テレビ放送を受信しているか否かを判断し、受信していないと判断されたとき、バックライトを消灯するようにすることで、無駄な電力を消費せずバックライトの寿命も延ばすようにしたバックライト自動制御装置を提案している。
【特許文献１】特開平０３−０２４８７５号公報
【発明の開示】
【発明が解決しようとする課題】
【０００４】
ところで、特許文献１に示されたバックライト自動制御装置では、チューナーの入力映像信号の同期が、ある一定時間受信されなかったときに砂嵐状態と判断してバックライトを消灯するようにしている。
【０００５】
このように、チューナー視聴時に同期検出を行い非同期ならば砂嵐状態と判断してバックライトを消すようにすると、ＤＶＤプレーヤー等のような外部入力機器からの映像を表示するとき、再生停止状態時に青画面やスクリーンセーバーが表示されるときがあり、このような場合には映像が表示されていないにも拘わらず同期信号があるので無信号判別を行うことがことができないことになる。
【０００６】
また、今後、本格的に開始されるデジタル放送についても、局が無いチャンネルや放送時間が終了したチャンネルの場合、砂嵐ではなくその旨を伝えるガイダンスが表示されるので、上記同様に、同期信号があるため無信号判別を行うことがことができない。
【０００７】
解決しようとする問題点は、同期信号検出ではアナログ放送の無信号判別は可能であるが、外部入力機器やデジタル放送の場合には映像が表示されていないにも拘わらず同期信号があるので無信号判別を行うことができないという点である。 
【課題を解決するための手段】
【０００８】
本発明の液晶表示装置は、視聴するソースの映像同期の有無を検出する同期検出手段と、前記ソースの入力音声の有無を検出する音声検出手段と、前記ソースの映像を表示する光源を有する表示手段と、前記ソースの音声を出力する音声出力手段と、前記同期検出手段及び前記音声検出手段による前記映像同期及び入力音声無しが所定期間継続したとき、前記光源の光量を制御する制御手段とを備えることを特徴とする。
また、チューナー又は外部入力機器のいずれかの入力系統の中から視聴するソースを選択するソース選択手段と、選択されたソースの映像同期の有無を検出する同期検出回路を内蔵し、前記選択されたソースの映像信号に対して、映像関連処理を行い、処理された映像信号を前記表示手段に表示させる映像処理手段と、前記選択されたソースの入力音声の音声レベルの有無を検出する無音検出回路を内蔵し、前記入力音声に対して、音声関連処理を行い、処理した音声信号を前記音声出力手段から出力させる音声処理手段と、前記映像同期及び入力音声無しの期間を計測して前記制御手段に計測結果を与える計測手段とを備えるようにすることができる。
また、前記制御手段は、前記映像同期及び入力音声が一定期間無い場合に、前記光源を段階的に減灯し、前記一定期間内又は前記減灯後に前記映像同期及び入力音声があると前記光源を元の明るさに戻すように制御するようにすることができる。
また、前記制御手段は、前記映像同期及び入力音声が一定期間無い場合に、前記光源を消灯し、前記一定期間内又は前記消灯後に前記映像同期及び入力音声があると前記光源を元の明るさに戻すように制御するようにすることができる。
また、前記制御手段は、前記映像同期及び入力音声が一定期間無い場合に、前記光源を段階的に減灯し、さらに前記光源が最も暗いレベルに到達したとき前記光源を消灯し、前記一定期間内又は前記消灯後に前記映像同期及び入力音声があると前記光源を元の明るさに戻すように制御するようにすることができる。
本発明の光源制御方法は、視聴するソースの映像同期の有無を検出する工程と、前記ソースの入力音声の有無を検出する工程と、前記ソースの映像を光源からの光によって表示する工程と、前記ソースの音声を出力する工程と、前記映像同期及び入力音声無しが所定期間継続したとき、前記光源の光量を制御する工程とを有することを特徴とする。
また、チューナー又は外部入力機器のいずれかの入力系統の中から視聴するソースを選択する工程と、選択されたソースの映像同期の有無を検出するとともに、前記選択されたソースの映像信号に対して、映像関連処理を行い、処理された映像信号を表示させる工程と、前記選択されたソースの入力音声の音声レベルの有無を検出するとともに、前記入力音声に対して、音声関連処理を行い、処理した音声信号を出力させる工程と、前記映像同期及び入力音声無しの期間を計測し、その計測結果を与える工程とを有するようにすることができる。
また、前記映像同期及び入力音声が一定期間無い場合に、前記光源を段階的に減灯し、前記一定期間内又は前記減灯後に前記映像同期及び入力音声があると前記光源を元の明るさに戻すように制御する工程を有するようにすることができる。
また、前記映像同期及び入力音声が一定期間無い場合に、前記光源を消灯し、前記一定期間内又は前記消灯後に前記映像同期及び入力音声があると前記光源を元の明るさに戻すように制御する工程を有するようにすることができる。 
また、前記映像同期及び入力音声が一定期間無い場合に、前記光源を段階的に減灯し、さらに前記光源が最も暗いレベルに到達したとき前記光源を消灯し、前記一定期間内又は前記消灯後に前記映像同期及び入力音声があると前記光源を元の明るさに戻すように制御する工程を有するようにすることができる。 
本発明の液晶表示装置では、同期検出手段により視聴するソースの映像同期の有無を検出し、音声検出手段によりソースの入力音声の有無を検出し、光源を有する表示手段によりソースの映像を表示し、音声出力手段によりソースの音声を出力するとともに、同期検出手段及び音声検出手段による映像同期及び入力音声無しが所定期間継続したとき、制御手段により光源の光量を制御することができる。
【発明の効果】
【０００９】
本発明の液晶表示装置によれば、同期検出手段及び音声検出手段による映像同期及び入力音声無しが所定期間継続したとき、制御手段により光源の光量を制御することができるので、ソースが外部入力機器やデジタル放送の場合であって、映像が表示されていないにも拘わらず同期信号がある場合でも、無信号判別を確実に行うことができる。
【発明を実施するための最良の形態】
【００１０】
本実施形態では、同期検出手段により視聴するソースの映像同期の有無を検出し、音声検出手段によりソースの入力音声の有無を検出し、光源を有する表示手段によりソースの映像を表示し、音声出力手段によりソースの音声を出力するとともに、制御手段により同期検出手段及び音声検出手段による映像同期及び入力音声無しが所定期間継続したとき、光源の光量を制御するようにし、ソースが外部入力機器やデジタル放送の場合であって、映像が表示されていないにも拘わらず同期信号がある場合でも、無信号判別を確実に行うようにした。
【実施例】
【００１１】
以下、本発明の実施の形態について説明する。 
図１は、本発明に係る液晶表示装置の一実施形態の構成を示すブロック図、図２は、図１の液晶表示装置におけるバックライト制御方法を説明するためのフローチャートである。 
【００１２】
図１に示す液晶表示装置は、ＡＶセレクタ１０、映像デコーダ２０、音声デコーダ３０、タイマー回路４０、マイコン５０、ＬＣＤ６０、スピーカ７０を備えている。
【００１３】
ソース選択手段としてのＡＶセレクタ１０は、チューナー１１や外部入力機器１２〜１４のいずれかの入力系統の中から視聴するソースを選択する。映像処理手段としての映像デコーダ２０は、同期信号の有無を検出する同期検出手段としての同期検出回路２１を内蔵し、ＡＶセレクタ１０で選択された入力ソースの映像信号に対して、映像関連処理を行い、処理された映像信号をＬＣＤ６０に表示させる。
【００１４】
音声処理手段としての音声デコーダ３０は、入力音声の音声レベルの有無を検出する音声検出手段としての無音検出回路３１を内蔵し、ＡＶセレクタ１０で選択された入力ソースの音声信号に対して、音声関連処理を行い、処理した音声信号をスピーカ７０から出力する。計測手段としてのタイマー回路４０は、映像同期が無い期間の時間計測と、入力音声が無い期間の時間計測とを行い、その計測結果をマイコン５０に与える。
【００１５】
制御手段としてのマイコン５０は、ＡＶセレクタ１０、映像デコーダ２０、音声デコーダ３０、タイマー回路４０、ＬＣＤ６０の制御を行うとともに、同期検出回路２１からの同期無しの検出に加え、無音検出回路３１からの音声無しの検出が一定時間継続したとき、ＬＣＤ６０のバックライト制御回路６１に対し、図示しない光源としてのバックライトを減灯（暗くする）及び／又は消灯するように制御させる。また、マイコン５０は、バックライト制御回路６１により、図示しないバックライトが減灯（暗くする）及び／又は消灯するように制御されているとき、同期信号又は音声信号が再度入力されると、バックライト制御回路６１に対し、図示しないバックライトを点灯（明るく）するように制御させる。
【００１６】
表示手段としてのＬＣＤ６０は、図示しないバックライトの明るさを制御するバックライト制御回路６１を内蔵し、映像デコーダ２０で処理された映像信号を表示する。音声出力手段としてのスピーカ７０は、音声デコーダ３０で処理された音声信号を出力する。
【００１７】
次に、バックライト制御方法について説明する。なお、以下の説明においては、同期信号及び音声信号が一定期間無い場合に、図示しないバックライトを段階的に減灯（暗くする）し、バックライトが最も暗いレベルに達したときに、バックライトを消灯するものとする。
【００１８】
まず、図示しないリモコン等により、視聴ソースの選択指示があると、図２に示すように、マイコン５０により、ＡＶセレクタ１０が制御され、チューナー１１か外部入力機器１２〜１４のいずれかかの視聴ソースが選択される（ステップＳ１）。
【００１９】
ここで、視聴ソースがチューナー１１の場合、映像デコーダ２０内の同期検出回路２１で映像同期の有無が検出され、同期が無い場合はタイマー回路４０にて同期無し時間が計測される。そして、一定時間（Ｔ１）同期無し状態が継続した場合（ステップＳ２）、マイコン５０からの指示を受けるバックライト制御回路６１により、図示しないバックライトが一段階減灯される（ステップＳ３）。
【００２０】
これに対し、（ステップＳ２）において、一定時間（Ｔ１）内に同期がある場合は、バックライト制御回路６１により、図示しないバックライトが元の明るさのままとされる（ステップＳ４）。
【００２１】
一方、（ステップＳ１）で視聴ソースが外部入力機器１２〜１４のいずれかである場合、映像デコーダ２０内の同期検出回路２１で映像同期の有無が検出される（ステップＳ５）。ここで、同期が無い場合は、タイマー回路４０にて同期無し時間が計測され、一定時間（Ｔ１）同期無し状態が継続した場合には、マイコン５０からの指示を受けるバックライト制御回路６１により、図示しないバックライトが一段階減灯される（ステップＳ３）。
【００２２】
これに対し、（ステップＳ５）において、一定時間（Ｔ１）内に同期がある場合は、音声デコーダ３０内の無音検出回路３１で入力音声の有無が検出される（ステップＳ６）。ここで、音声が無い場合は、タイマー回路４０にて音声無しの時間が計測され、一定時間｛Ｔ２（Ｔ１＞Ｔ２）｝音声無し状態が継続した場合には、マイコン５０からの指示を受けるバックライト制御回路６１により、図示しないバックライトが一段階減灯される（ステップＳ３）。
【００２３】
これに対し、一定時間（Ｔ２）内に音声信号がある場合は、バックライト制御回路６１により、図示しないバックライトが元の明るさに戻される（ステップＳ４）。
【００２４】
また、（ステップＳ３）においては、図示しないバックライトの明るさが段階的に落とされ、最も暗いレベルになったときには（ステップＳ７）、バックライトが消灯される（ステップＳ８）。そして、バックライトの消灯後に、映像デコーダ２０の同期検出回路２１で同期が検出されるか、又は音声デコーダ３０の無音検出回路３１で音声が検出されると（ステップＳ９）、バックライト制御回路６１により、図示しないバックライトが元の明るさに戻される（ステップＳ４）。
【００２５】
このように、本実施形態では、同期検出回路２１により視聴するソースであるチューナー１１又は外部入力機器１２〜１４のいずれかの映像同期の有無を検出し、無音検出回路３１によりソースの入力音声の有無を検出し、図示しないバックライトを有するＬＣＤ６０によりソースの映像を表示し、スピーカ７０によりソースの音声を出力するとともに、同期検出回路２１及び無音検出回路３１による映像同期及び入力音声無しが所定期間継続したとき、マイコン５０によりバックライトを減灯（暗くする）及び／又は消灯するようにしたので、ソースが外部入力機器１２〜１４のいずれか、又はデジタル放送の場合であって、映像が表示されていないにも拘わらず同期信号がある場合でも、無信号判別を確実に行うことができる。
【００２６】
よって、無信号判別を確実に行うことができることにより、液晶テレビのさらなる低消費電力化と長寿命化とを図ることが可能となる。
【００２７】
また、本実施形態では、映像同期及び入力音声が一定期間無い場合に、バックライトを段階的に減灯し、さらにバックライトが最も暗いレベルに到達したときバックライトを消灯し、一定期間内又は消灯後に映像同期及び入力音声があるとバックライトを元の明るさに戻すように制御できるので、映像表示におけるレスポンスを高めることができる。
【００２８】
なお、本実施形態では、映像同期及び入力音声が一定期間無い場合に、バックライトを段階的に減灯し、さらにバックライトが最も暗いレベルに到達したときバックライトを消灯し、一定期間内又は消灯後に映像同期及び入力音声があるとバックライトを元の明るさに戻すようにした場合について説明したが、この例に限らず、映像同期及び入力音声が一定期間無い場合に、バックライトを段階的に減灯させるのみとし、一定期間内又は減灯後に映像同期及び入力音声があるとバックライトを元の明るさに戻すようにしてもよい。 
【００２９】
また、映像同期及び入力音声が一定期間無い場合に、バックライトを直ちに消灯し、一定期間内又は消灯後に映像同期及び入力音声があるとバックライトを元の明るさに戻すようにしてもよい。 
【産業上の利用可能性】
【００３０】
液晶テレビに限らず、液晶パネルにより映像表示が可能な携帯電話、ＰＤＡ、ノートパソコン、ディスクトップパソコン、カーナビゲーション等においても適用可能である。 
【図面の簡単な説明】
【００３１】
【図１】本発明に係る液晶表示装置の一実施形態の構成を示すブロック図である。
【図２】図１の液晶表示装置におけるバックライト制御方法を説明するためのフローチャートである。
【符号の説明】
【００３２】
１０  ＡＶセレクタ 
１１  チューナー 
１２〜１４  外部入力機器 
２０  映像デコーダ 
２１  同期検出回路 
３０  音声デコーダ 
３１  無音検出回路 
４０  タイマー回路 
５０  マイコン
６０  ＬＣＤ
６１  バックライト制御回路
７０  スピーカ 
【図１】
2006140647.tif 000003
【図２】
2006140647.tif 000004